(57)【要約】【課題】シャッターボタンの滑らかな押し下げ動作を実現できるカメラ装置を提供する。【解決手段】外部から加えられる押圧力をスイッチ７に伝えるシャッターボタン２を有するカメラ装置１ａにおいて、ボス２４は第１の端がシャッターボタン2に取り付けられ、第２の端が前記スイッチ７に対抗し、コイルバネ６ａは共通の中心軸Ａｓに対して第１の形状に巻回された第１の巻回部６１ａと当該第１の巻回部６１ａを包含する第２の形状に巻回された第２の巻回部６２ａとを有し、前記第１の巻回部６１ａにボス２４の第２の端が挿入されている。【選択図】図４
2008170974.tif 000002
【特許請求の範囲】
【請求項１】
外部から加えられる押圧力をスイッチに伝えるシャッターボタンを有するカメラ装置であって、
中心軸に対して第１の形状に巻回された第１の巻回部と、前記第１の巻回部を包含する、前記中心軸に対して第２の形状に巻回された第２の巻回部とを有するコイルバネを備え、
前記シャッターボタンは、前記スイッチに対向するボス部を有し、かつ前記ボス部は前記第１の巻回部に挿入されている
ことを特徴とするカメラ装置。
【請求項２】
前記第１の形状および第２の形状は円形であることを特徴とする請求項１に記載のカメラ装置。
【請求項３】
前記第１の形状は多角形であり、前記第２の形状は円形であることを特徴とする請求項１に記載のカメラ装置。
【請求項４】
前記第１の巻回部は前記第２の巻回部の一方の端部に連続して設けられていることを特徴とする請求項２に記載のカメラ装置。
【請求項５】
前記第１の巻回部が前記シャッターボタンに近接していることを特徴とする請求項４に記載のカメラ装置。
【請求項６】
前記第１の巻回部に連続する前記第２の巻回部が前記シャッターボタンに当接していることを特徴とする請求項４に記載のカメラ装置。
【請求項７】
前記第１の巻回部は前記第２の巻回部の一方の端部に連続して設けられていることを特徴とする請求項３に記載のカメラ装置。
【請求項８】
前記第１の巻回部が前記シャッターボタンに近接していることを特徴とする請求項７に記載のカメラ装置。
【請求項９】
前記第１の巻回部に連続する前記第２の巻回部が前記シャッターボタンに当接していることを特徴とする請求項８に記載のカメラ装置。
【請求項１０】
前記コイルバネは、前記中心軸に対して前記第２の巻回部に包含される第３の形状に巻回された第３の巻回部をさらに備える請求項１に記載のカメラ装置。
【請求項１１】
前記第１の巻回部および第３の巻回部は、前記第２の巻回部の両端部のそれぞれに連続して設けられていることを特徴とする請求項１０に記載のカメラ装置。
【請求項１２】
前記第１の形状、第２の形状、および第３の形状は円形であることを特徴とする請求項１１に記載のカメラ装置。
【請求項１３】
前記第１の形状および第３の形状は多角形であり、前記第２の形状は円形であることを特徴とする請求項１１に記載のカメラ装置。
【請求項１４】
前記第１の形状は多角形であり、前記第２の形状および第３の形状は円形であることを特徴とする請求項１１に記載のカメラ装置。
【請求項１５】
外部から加えられる押圧力をスイッチに伝えるスイッチ押圧装置であって、
外部からの圧力を受け、かつ前記スイッチに対向するボス部を有するボタンと、
中心軸に対して第１の形状に巻回された第１の巻回部と、前記第１の巻回部を包含する、前記中心軸に対して第２の形状に巻回された第２の巻回部と、を有するコイルバネとを備え、
前記ボス部は前記第１の巻回部に挿入されている、
ことを特徴とするスイッチ押圧装置。
【請求項１６】
請求項１５に記載のスイッチ押圧装置を備える電子機器。
【発明の詳細な説明】
【技術分野】
【０００１】
本発明は、バネで付勢されたシャッターボタンを有するカメラ装置に関する。
【背景技術】
【０００２】
近年、カメラ装置の中でもデジタルカメラの普及はめざましく、生産台数も年々増えている。一般にデジタルカメラは一眼レフタイプのものとコンパクトタイプのものに大別される。最近では一眼レフタイプのデジタルカメラの出荷台数が増えているが、コンパクトタイプのデジタルカメラでは、依然として小型／薄型のカメラが主流となっている。このようなカメラの小型化／薄型化を実現すべく、スイッチに直接取り付けた電池切片部材を有する電池室の構造等に改良を施す技術が、特許文献１に提案されている。
【０００３】
小型化／薄型化の一方で機能は増加される傾向にあり、内部回路等の技術は複雑かつ高度化している。このような中で、装置の小型化／薄型化及び回路規模の増大化の要求を満たすためには、内部部品実装の効率化、あるいは部品組み込みの工数低減等が課題となっている。特にシャッターボタンのような小さな可動部について、簡単で確実な組立作業を可能とする構成が求められている。
【０００４】
図１１に、小型化／薄型化に対応するために、リーフスイッチの代わりにコイルバネでシャッターボタンを付勢する、従来のスイッチ押圧機構の断面構成を示す。スイッチ押圧機構ＲＳｐは、シャッターボタン２、ガイド部材４、ガイド部材５、およびコイルバネ６ｐを含む。
【０００５】
ガイド部材４は円筒部と、円筒部に対して概ね垂直に、かつ円筒部の中心軸に向かって延在する環状部とから形成されている。そして、ガイド部材４は、環状部がデジタルカメラ１ｐの筐体３の一部に設けられた開口部３１の周囲上面に取り付けられている。
【０００６】
シャッターボタン２は、円盤状部２１と円盤状部２１の周囲に延在する外輪部２２とを含む。なお、外輪部２２の外周には段差部２３が設けられている。段差部２３を含むシャッターボタン２の外周径は、ガイド部材４の環状部の内径より大きく、円筒部の内径より小さくなるように形成されている。シャッターボタン２の裏面の中央部には、ガイド部材５の中心部に設けられた孔５１の径Ｄ５１より小さな外径Ｄ２４で規定される円柱状のボス２４が設けられている。
【０００７】
ガイド部材５は、平坦部５２を有する円盤状に形成されている。ガイド部材５の中心部には、ボス２４の外径Ｄ２４より大きな径Ｄ５１で規定される孔５１が設けられている。ガイド部材５はその外周上面部で開口部３１の周囲下面に取り付けられている。なお、ガイド部材５の下側には、孔５１に対向する位置に、回路基板８に装着されたスイッチ７が配置されている。
【０００８】
コイルバネ６ｐは、シャッターボタン２の内径より小さく、ガイド部材５の孔５１の径Ｄ５１より大きな径Ｄ６で規定される。なお、コイルバネ６ｐの径Ｄ６は外径と内径との中心径である。紙面の都合上図示していないが、コイルバネ６ｐの外径および内径をそれぞれＤ６ｏおよびＤ６ｉとする。
【０００９】
シャッターボタン２は、コイルバネ６ｐの内周部にボス２４が差し込まれた状態で、ガイド部材４とガイド部材５に装着される。具体的には、シャッターボタン２の円盤状部２１の外周がガイド部材４の環状部内周に所定の間隔で勘合する。段差部２３がガイド部材４の環状部の下面に当接し、コイルバネ６ｐはガイド部材４の下面とガイド部材５の上面とによって圧縮されて、シャッターボタン２を所定の力で矢印で示される方向（以降、Ｙ方向という）と反対方向に付勢している。つまり、シャッターボタン２の段差部２３の上面が、ガイド部材４の環状部の下面に当接した状態で保持される。これにより、シャッターボタン２が抜け落ちないように保持されている。
【００１０】
このように構成されたスイッチ押圧機構ＲＳｐにおいて、人の指などによってシャッターボタン２が矢印Ｙ方向に押下されると、コイルバネ６ｐの押圧力に抗してボス２４がＹ方向に移動してスイッチ７に当接する。一般にスイッチ７として２段のクリックスイッチが用いられており、シャッターボタン２がさらに押し下げられると、スイッチ７は半押し状態、全押し状態、と順次移行する。
【００１１】
上述のように、デジタルカメラにおけるシャッターボタンの押下操作は「押し下げ開始」から「半押し」、および「半押し」から「全押し」の２段階の操作になっている。「半押し」の状態の時にピント合わせやシャッタースピード、絞り等の露光条件が決定され、「全押し」で撮影が行われる。
【００１２】
シャッターボタン２の操作には微妙な力加減が必要である。すなわち「押し下げ開始」から「全押し」までの全ストロークに渡って、シャッターボタン２をスムーズに押し下げできることが必要となる。従って、シャッターボタン２を付勢するコイルバネ６ｐには、シャッターボタン２のストロークの全域に渡り、小さくかつ安定した反発力が求められる。このため、通常、コイルバネ６ｐは、線径の細い大きな巻き径のバネ材で構成される。
【００１３】
シャッターボタン２のストロークの全域に渡り、小さくかつ安定した反発力を実現するためには、コイルバネ６ｐはガイド部材４およびガイド部材５に均等に接触する必要がある。そして、そのためには、コイルバネ６ｐのボス２４に対して均等な位置、つまりコイルバネ６ｐの中心軸とボス２４の中心軸が一致することが要求される。
【特許文献１】特開２００２−３５０９４３号公報
【発明の開示】
【発明が解決しようとする課題】
【００１４】
しかし、シャッターボタン２の押し下げ動作を繰り返すうちに、図１１に示すようにコイルバネ６ｐがシャッターボタン２の径方向にずれることがある。コイルバネ６ｐの位置がずれると、コイルバネ６ｐはガイド部材４およびガイド部材５と均等に接することができないので、押圧力が偏るためにシャッターボタン２の押し下げ動作が円滑に行われなくなる。
【００１５】
また、ボス２４の外径Ｄ２４に対してコイルバネ６ｐの径Ｄ６が大きいため、シャッターボタン２を筐体３内に組み込む際に、コイルバネ６ｐの位置がシャッターボタン２の径方向にずれる、あるいはコイルバネ６ｐが傾く等によりボス２４やガイドボス２５などに咬んだ状態で組んでしまう。この場合、シャッターボタン２は適切な押下や復帰の動作が行われない。そのために、スイッチ押圧機構ＲＳｐの組み立ておよびデジタルカメラ１ａへの組み付けは、細心の注意が要求される困難な作業となっている。
【００１６】
本発明の第１の目的は、シャッターボタンの滑らかな押し下げ動作を実現できるカメラ装置を提供することにある。また本発明の第２の目的は、シャッターボタンの簡単で確実な組み立てが可能なカメラ装置を提供することにある。
【課題を解決するための手段】
【００１７】
上記目的を達成するために本発明にかかるカメラ装置は、
外部から加えられる押圧力をスイッチに伝えるシャッターボタンを有するカメラ装置であって、
中心軸に対して第１の形状に巻回された第１の巻回部と、前記第１の巻回部を包含する、前記中心軸に対して第２の形状に巻回された第２の巻回部とを有するコイルバネを備え、
前記シャッターボタンは、前記スイッチに対向するボス部を有し、かつ前記ボス部は前記第１の巻回部に挿入されていることを特徴とするものである。
【００１８】
ここで、前記第１の巻回部は前記第２の巻回部の一方の端部に連続して設けられていることが好ましい。スイッチ押圧機構の組み立て時において、前記第１の巻回部にボス部が挿入されることにより、シャッターボタンにコイルバネを容易かつ確実に装着できる。
【００１９】
また前記コイルバネは、前記中心軸に対して前記第２の巻回部に包含される第３の形状に巻回された第３の巻回部をさらに備えていてもよい。前記コイルバネの両端部に第１の巻回部および第３の巻回部を設けることにより、第１の巻回部だけを備えたコイルバネに比べ、前記ボス部に対してより確実に取り付けられる。また組立作業時にコイルバネが適切な側から装着されているかを確認するためにコイルバネの端面を確認する必要がないため、作業性を向上できる。
【発明の効果】
【００２０】
本発明によれば、シャッターボタンのスムーズな押し下げ動作を実現でき、しかも誰が作業をしても、前記コイルバネを常に前記シャッターボタンの中央に位置させることが可能となる。
【発明を実施するための最良の形態】
【００２１】
図面を参照して、本発明の実施の形態について詳述する前に、本発明にかかるカメラ装置におけるスイッチ押圧機構の技術的な特徴について述べる。上述の従来のスイッチ押圧機構における問題は、コイルバネがボスの径方向に動いてしまうことに起因すると分析される。よって、本発明においては、スイッチ押圧機構の小型化や薄型化を損なわずに、コイルバネをボスに対して、径方向に位置決めする手段を新たに設けることによってスイッチの円滑な押し下げ動作を可能にする。
【００２２】
具体的には、本発明に係るコイルバネ６は、従来のコイルバネ６ｐと異なり、基本的に次式（１）および（２）を満たす少なくとも２種類の径Ｄ１および径Ｄ２で規定されるように構成される。
Ｄ１＜Ｄ２    ・・・・  （１）
Ｄ１≒Ｄ２４  ・・・・  （２）
【００２３】
説明の都合上、コイルバネ６の径Ｄ１部を小径部６１と呼び、径Ｄ２部を大径部６２と呼ぶ。上式（２）は、コイルバネ６の小径部６１の径Ｄ１（正確には、内径Ｄ１ｉ）がボス２４の外径Ｄ２４とほぼ同じ、つまりＤ１（Ｄ１ｉ）＝Ｄ２４±△Ｄであることを示す。なおクリアランス△Ｄは、径Ｄ２４およびコイルバネ６の弾性などを考慮して任意に設定される値である。
【００２４】
コイルバネ６の大径部６２の径Ｄ２（正確には、外径Ｄ２ｏ）はシャッターボタン２の内径より小さい、つまりコイルバネ６がシャッターボタン２の外輪部２２に当たらない程度まで大きく設定できる。これは、コイルバネ６の座面は大きい方が、シャッターボタン２に装着する際に安定した姿勢が確保できることを考慮したものである。また、コイルバネ６の線径は寿命と荷重およびストロークによって計算により求まる。
以下に、図面を参照して、カメラ装置としてデジタルカメラを一例として各実施の形態について具体的に説明する。
【００２５】
図１に示すように、本実施の形態にかかるデジタルカメラ１ａの筐体３の上部には、スイッチ押圧機構ＲＳ（不図示）を構成するシャッターボタン２が配置されている。本発明にかかるスイッチ押圧機構ＲＳは、コイルバネ６（不図示）を除いて、上述の従来のスイッチ押圧機構ＲＳｐと基本的に同様に構成されており、以下にコイルバネ６に重点をおいて説明する。
【００２６】
図２に、本実施の形態にかかるコイルバネ６ａを示す。コイルバネ６ａは、Ａｓを中心軸（以降、「中心軸Ａｓ」）として螺旋円形に形成された大きな巻き径Ｄ２の大径部６２ａと、同じくＡｓを中心軸として円形に形成された小さな巻き径Ｄ１の小径部６１ａとで構成されている。基本的に、コイルバネ６ａは概ね大径部６２ａで構成されて、大径部６２ａの端部に小径部６１ａが連続して成形されている。なお、小径部６１ａと、小径部６１ａに接続されている大径部６２ａの一巻きは、略同一平面上に位置するように構成されることが好ましい。
【００２７】
図３に、スイッチ押圧機構ＲＳとして、デジタルカメラ１（筐体３）に組み付けられる前のシャッターボタン２を裏側から見た様子を示す。コイルバネ６ａは、シャッターボタン２のボス２４が小径部６１ａより先に挿入されて装着されている。つまり、コイルバネ６ａの小径部６１ａは、ボス２４に挿入された状態で円盤状部２１の下面に接触している。
【００２８】
なお、本例においては、コイルバネ６ａの周囲に位置するように円盤状部２１に２つのガイドボス２５が設けられている。ガイドボス２５はガイド部５に形成されたガイド穴（図示せず）に挿入される。この場合、コイルバネ６ａの巻き径Ｄ２は、ガイドボス２５にコイルバネ６ａが接触しないように決められることは言うまでもない。ガイドボス２５は、シャッターボタン２の押し下げ動作をより滑らかにするために、ボス２４の周りに複数個、円周方向に等間隔で設けられるのが望ましい。しかしガイドボス２５は本発明のスイッチ押圧機構ＲＳの構成に必須ではない。
【００２９】
図４に、上述のシャッターボタン２およびコイルバネ６ａが組み込まれたスイッチ押圧機構ＲＳの主要部の断面を示す。なお図中、図１１に示した部材と同一の機能を有する部材には同一の符号を付すと共に説明を省略する。また、上述のガイドボス２５は、必須ではないので図示されていない。上述のように、コイルバネ６ａは小径部６１ａでボス２４と所定のクリアランス（△Ｄ）で挿入することによって、コイルバネ６ａの中心軸Ａｓと好ましくは平行なＹ方向に対して直角な半径方向への大径部６２ａの位置が決定されると共に、コイルバネ６ａの円盤状部２１（シャッターボタン２）および平坦部５２（ガイド部材５）に対する変位が防止される。
【００３０】
詳述すれば、コイルバネ６ａには上述の通り、シャッターボタン２のストローク全域に渡って小さく安定した反発力が求められるため、線径の細いバネ材を大きな巻き径で構成される。コイルバネ６ａはその長さ方向において、大径部６２ａの巻き径は一定であり、先端の小径部６１ａはその内径Ｄ１ｉがボス２４の外径Ｄ２４よりわずかに大きい寸法となっている。この時、大径部６２ａと小径部６１ａとがコイルバネ６ａの端部で略同一平面内の同心円となるよう構成されていることで、コイルバネ６ａは常に円盤状部２１下面の中央に位置決めされる。結果、コイルバネ６ａは倒れることもなく、かつ、誤って組み立てることのない確実な工程を確保できる。
【００３１】
コイルバネ６ａのうち細線が円筒状に複数巻回された巻き径の大きな大径部６２ａが、安定した反発力を発揮する役割を果たしている。また、小径部６１ａとそれに続く大径部６２ａの一巻きは、略同一面上に位置するように構成されることによって、スイッチ押圧機構ＲＳとしてコイルバネ６ａを組み付けたときに、コイルバネ６ａは小径部６１ａと大径部６２ａとでシャッターボタン２の円盤状部２１に当接することができる。つまり、小径部６１ａのみで円盤状部２１に当接する場合にくらべて、より大きな座面で均等に円盤状部２１に当接でき、シャッターボタン２に装着する際に安定した姿勢が確保できる
【００３２】
しかし、小径部６１ａをそれに続く大径部６２ａの一巻きは、必ずしも同一面上に位置するように構成する必要ない。小径部６１ａをシャッターボタン２に近接する位置に設ける、例えば、小径部６１ａをそれに続く大径部６２ａの一巻きより内（他端）側に位置するように構成すれば、円盤状部２１とは大径部６２ａで当接できる。また、コイルバネ６ａの弾性次第では、小径部６１ａがそれに続く大径部６２ａより中心軸Ａｓに平行な方向に変位していてもよい。
【００３３】
上述のように構成することによって、本実施の形態にかかるデジタルカメラ１ａにおいては、シャッターボタン２はコイルバネ６ａによる安定した反Ｙ方向の付勢力に抗して、ボス２４でスイッチ７を安定して滑らかに押圧できる。さらに、スイッチ押圧機構ＲＳの組み立て時においても、小径部６１ａがボス２４に挿入することによって、シャッターボタン２にコイルバネ６ａを容易かつ確実に装着できる。さらに、コイルバネ６ａが確実に装着されたシャッターボタン２をスイッチ押圧機構ＲＳに組み付けることも容易である。
【００３４】
なお、本実施の形態では、小径部６１ａの内径Ｄ１ｉをボス２４の外径Ｄ２４よりもわずかに大きい寸法にしたが、これらの寸法をほぼ同一かわずかに小さくしても良い。その場合、位置決めとしての機能をより向上させることができる。
【００３５】
（第１の変形例）
以下に、図５および図６を参照して、本発明にかかるコイルバネ６ａの第１の変形例について説明する。図５に示すように、本変形例にかかるコイルバネ６ｂは、図３に示したコイルバネ６ａと同様に、大径部６２ａの一方の端部に小径部６１ａが設けられていると共に、さらに大径部６２ａの他端にも小径部６１ｂが設けられている。小径部６１ｂは小径部６１ａと実質的に等価に構成されることが好ましいが、若干の違いは許されることは言うまでもない。
【００３６】
図６に、図３と同様に、コイルバネ６ｂがボス２４に装着された状態を示す。このようにコイルバネ６ｂは、その両端部に設けられた小径部６１ａおよび小径部６１ｂによって、ボス２４に対してコイルバネ６ａに比べてより確実に取り付けられる。また、コイルバネ６ｂの両端部に小径部６１ａおよび６１ｂを設けることにより、組立作業時に、コイルバネが適切な側から装着されているかを確認するためにコイルバネの端面を確認する必要がなく、更に作業性を向上することができる。
【００３７】
なお、図５に示すように、巻き短部に生じる隙間がコイルバネ６ｂの半径方向への動きに及ぼす観点から、小径部６１ａの巻き端部６１ａｅと小径部６１ｂの巻き端部６１ｂｅがボス２４の直径方向上で重ならない、すなわち巻き端部６１ａｅとボス２４の中心軸Ａｓを結ぶ線と、巻き端部６１ｂｅとボス２４の中心軸Ａｓを結ぶ線とが角度をなすように構成されることが好ましい。しかしながら、両巻き短部６１ａｅと６１ｂｅの位置は必ずしも限定されるものではない。
【００３８】
（第２の変形例）
以下に、図７および図８を参照して、本発明にかかるコイルバネ６ａの第２の変形例について説明する。図７に示すように、本変形例にかかるコイルバネ６ｃは、図３に示したコイルバネ６ａと同様に、大径部６２ａの一方の端部に小径部６１ｃが設けられている。ただし、コイルバネ６ａにおける小径部６１ａが螺旋円形に形成されているのに対して、小径部６１ｃは多角形状（本例では、３角形）に成形されている点が異なる。小径部６１ｃは正多角形状に構成されることが好ましく、以下にその前提で説明するが、正多角形状に限定されるものでは無いことは言うまでもない。
【００３９】
小径部６１ｃにおいて、多角形の内接円の径が小径部６１ａにおける内径Ｄ１ｉに一致し、多角形の外接円の径は大径部６２ａの外径Ｄ２ｏよりも小さくなるように構成されている。よって、小径部６１ｃと大径部６２ａが重なり合うことはない。また前述の大径部６２ａと同様に、小径部６１ｃの巻回の軸と大径部６２ａの巻回の中心軸は概ね一致している。他の点については、コイルバネ６ａと同様である。なお、小径部６１ｃが正多角形でない場合は、内接円は小径部６１ｃが包含する最小の円を表し、外接円は小径部６１ｃを包含する最小の円を意味する。
【００４０】
図８に、図３と同様に、コイルバネ６ｃがボス２４に装着された状態を示す。このように、コイルバネ６ｃはその大径部６２ａの端部に設けられた小径部６１ｃによって、コイルバネ６ａの小径部６１ａと同様にボス２４に取り付けられる。
【００４１】
（第３の変形例）
以下に、図９および図１０を参照して、本発明にかかるコイルバネ６ａの第３の変形例について説明する。図９に示すように、本変形例にかかるコイルバネ６ｄは、図７に示したコイルバネ６ｃと同様に、大径部６２ａの一方の端部に小径部６１ｃが設けられていると共に、さらに大径部６２ａの他端にも小径部６１ｄが設けられている。小径部６１ｄは小径部６１ｃと実質的に等価に構成されることが好ましいが、若干の違いは許されることは言うまでもない。
【００４２】
図１０に、図３と同様に、コイルバネ６ｄがボス２４に装着された状態を示す。コイルバネ６ｄにおいても、コイルバネ６ｂと同様に、２つの小径部６１ｃおよび小径部６１ｄによって、ボス２４により確実に固定される。
【００４３】
なお、上述した第３の変形例では、大径部６２ａの両端部に多角形の小径部６１ｃおよび６１ｄを設けた例について説明したが、一方の端部の小径部６１ｄを第２の変形例に示す円形の小径部６１ｂで置き換えても同様の効果が得られる。
【００４４】
さらに、図示しないが、ボス２４の断面形状を、小径部６１ａ、６１ｂ、６１ｃおよび６１ｄの中空部の形状に対応した形状とすれば、組み立て時にコイルバネ６ａないし６ｄがボス２４にしっくりとはまり込み、がたつきのない安定した組み立てを実現できる。さらに、上述の小径部６１ａ、６１ｂ、６１ｃおよび６１ｄは、大径部６２ａの端部に限定されるものではなく、例えば大径部６２ａで挟まれるような位置に設けてもよい。
【００４５】
なお、スイッチ押圧機構ＲＳにおけるシャッターボタン２、ボス２４、およびコイルバネ６ａ〜６ｄで、スイッチ７を押圧するスイッチ押圧装置を構成できる。このスイッチ押圧装置は、上述のように従来にないスムーズな押圧を可能にする格別の効果を奏する。それ故に、このスイッチ押圧装置を備える電子機器も従来にないスムーズなスイッチ押圧が可能である。
【産業上の利用可能性】
【００４６】
本発明は、コイルバネで付勢されるシャッターボタンを有するカメラ装置だけでなく、スイッチ押圧装置を備える電子機器に広く適用できるものである。
【図面の簡単な説明】
【００４７】
【図１】本発明の実施の形態にかかるデジタルカメラの外観を示す斜視図
【図２】本実施の形態で用いるコイルバネの斜視図
【図３】デジタルカメラに組み付けられる前のシャッターボタンを裏側から見た斜視図
【図４】図１のデジタルカメラのスイッチ押圧機構の主要部の断面図
【図５】コイルバネの変形例を示す斜視図
【図６】図５のコイルバネを用いたシャッターボタンを裏側から見た斜視図
【図７】コイルバネの他の変形例を示す斜視図
【図８】図７のコイルバネを用いたシャッターボタンを裏側から見た斜視図
【図９】コイルバネの他の変形例を示す斜視図
【図１０】図９のコイルバネを用いたシャッターボタンを裏側から見た斜視図
【図１１】従来のデジタルカメラのスイッチ押圧機構の主要部の断面図
【符号の説明】
【００４８】
ＲＳ    スイッチ押圧機構
１ａ    デジタルカメラ
２    シャッターボタン
３    筐体
４、５    ガイド部材
６ａ〜６ｄ    コイルバネ
７    スイッチ
８    回路基板
２１    円盤状部
２２    外輪部
２３    段差部
２４    ボス
２５    ガイドボス
６１ａ〜６１ｄ    小径部
６２ａ    大径部
【図１】
2008170974.tif 000003
【図２】
2008170974.tif 000004
【図３】
2008170974.tif 000005
【図４】
2008170974.tif 000006
【図５】
2008170974.tif 000007
【図６】
2008170974.tif 000008
【図７】
2008170974.tif 000009
【図８】
2008170974.tif 000010
【図９】
2008170974.tif 000011
【図１０】
2008170974.tif 000012
【図１１】
2008170974.tif 000013